(57)【要約】【課題】  部品点数が少なく低コスト化を図れるディスプレイ支持機構を提供する。【解決手段】  シャフト２と、シャフト２に回動可能に支持されると共にシャフト２を軸に円弧状に形成された摺動凹面５１を有し、かつ、台部１２に取り付けられるベースブラケット３と、シャフト２に回動可能に支持され、ディスプレイ１１に取り付けられるスライドブラケット４と、スライドブラケット４に設けられ、摺動凹面５１にその周方向に摺動する円弧状の摺動凸面６１を有する摺動凸部６と、スライドブラケット４に取り付けられ、摺動凸部６を押圧して摺動凸面６１と摺動凹面５１との間にフリクションを発生させると共に摺動凸部６の押付力を調節し得るフリクション発生手段７とを備え、フリクションによってディスプレイ１１を台部１２に対して所望の位置に停止保持させるように構成したことにより、前記課題を解決した。【選択図】        図１
2007279302.tif 000002
【特許請求の範囲】
【請求項１】
ディスプレイを台部に対してチルト方向に傾動させるディスプレイ支持機構であって、
シャフトと、
このシャフトに回動可能に支持されると共に、前記シャフトを軸に円弧状に形成された摺動凹面を有し、かつ、前記ディスプレイ及び前記台部の一方に取り付けられる第１ブラケットと、
前記シャフトに回動可能に支持され、前記ディスプレイ及び前記台部の他方に取り付けられる第２ブラケットと、
前記第２ブラケットに設けられ、前記摺動凹面にその周方向に摺動する円弧状の摺動凸面を有する摺動凸部と、
前記第２ブラケットに取り付けられ、前記摺動凸部を押圧して前記摺動凸面と前記摺動凹面との間にフリクションを発生させると共に、前記摺動凸部の押付力を調節し得るフリクション発生手段とを備え、
前記フリクションによって前記ディスプレイを前記台部に対して所望の位置に停止保持させるように構成したことを特徴とする、ディスプレイ支持機構。
【請求項２】
前記フリクション発生手段は、前記第２ブラケットに螺合して先端部が前記摺動凸部に当接し、この第２ブラケットから摺動凸部に当接するまでの長さが可変されることによって前記摺動凸部の押付力が調節されるネジ部材と、このネジ部材の頭部と前記第２ブラケットとの間に設けられ、前記ネジ部材を先端部から頭部の方向に付勢する付勢部材とで構成されていることを特徴とする、請求項１に記載のディスプレイ支持機構。
【請求項３】
前記ネジ部材が複数設けられ、これらネジ部材の先端部と前記摺動凸部との間に一枚のプレートを設け、このプレートを介して前記摺動凸部が押圧されることを特徴とする、請求項２に記載のディスプレイ支持機構。
【請求項４】
前記摺動凹面は、摺動凹部に設けられ、この摺動凹部が前記第１ブラケットに取り付けられることを特徴とする、請求項１〜３のいずれか１項に記載のディスプレイ支持機構。
【請求項５】
前記第１ブラケットは、前記台部に取り付けられると共に内面に前記摺動凹部が取り付けられる基部と、この基部の両側部から突出され、前記シャフトが貫通する貫通孔を有する支持部とから略コ字状に形成され、
前記第２ブラケットは、前記ディスプレイに取り付けられる第１取付部と、前記摺動凸部が前記フリクション発生手段を介して取り付けられる第２取付部と、これら第１取付部と第２取付部とを連結すると共に前記シャフトが貫通する貫通孔を有する連結部とから略ロ字状に形成されていることを特徴とする、請求項４に記載のディスプレイ支持機構。
【発明の詳細な説明】
【技術分野】
【０００１】
本発明は、モニターや液晶テレビ等の据え置き型のディスプレイをフリクションにより所望の位置に停止保持させるディスプレイ支持機構に関するものである。
【背景技術】
【０００２】
モニターや液晶テレビ等の据え置き型のディスプレイは、台部に支持されており、この台部を介してテレビ台上等に載置されている。ディスプレイと台部とは、ディスプレイ支持機構を介して連結されている。ディスプレイ支持機構は、ディスプレイを台部に対して傾動可能に支持するものである。ディスプレイ支持機構としては、左右一対のフリクションヒンジを備えたものが知られている（例えば、特許文献１参照。）。フリクションヒンジは、台部を軸に左右対称のものである。台部上には、シャフトが左右方向に延びて設けられ、これらシャフトに回動可能にブラケットが取り付けられている。これらブラケットがディスプレイに取り付けられている。シャフトには、ストッパーワッシャー、フリクションワッシャー、ブラケット、フリクションワッシャー、皿バネ及び押え用ワッシャーが締付ナットにより取り付けられており、皿バネ及び各ワッシャーが互いに圧接状態になってシャフトとブラケットとの間、すなわち、ディスプレイと台部との間にフリクションが発生する。このフリクションによってディスプレイが台部に対して所望の位置に停止保持される。
【特許文献１】特開２００４−２２９１０６号公報
【発明の開示】
【発明が解決しようとする課題】
【０００３】
この特許文献１に記載されたディスプレイ支持機構は、皿バネ及び各ワッシャーが互いに圧接状態となることによってフリクションが発生してディスプレイが台部に停止保持されるものであるが、台部から左右方向に延びたシャフトの先端部に一対のフリクションヒンジが設けられていると、高価なものとなる。すなわち、フリクションヒンジは、ストッパーワッシャー、フリクションワッシャー、ブラケット、フリクションワッシャー、皿バネ及び押え用ワッシャーを有するために部品点数が多く、しかも、このフリクションヒンジが一対設けられているので、高価なものとなってしまい、近年のコストダウンの要望に答えられないものであった。
【０００４】
本発明は、前記課題を解決するためになされたものであって、その目的は、部品点数が少なく低コスト化を図れるディスプレイ支持機構を提供することにある。
【課題を解決するための手段】
【０００５】
前記の目的を達成するための本発明に係るディスプレイ支持機構は、ディスプレイを台部に対してチルト方向に傾動させるディスプレイ支持機構であって、シャフトと、このシャフトに回動可能に支持されると共に、前記シャフトを軸に円弧状に形成された摺動凹面を有し、かつ、前記ディスプレイ及び前記台部の一方に取り付けられる第１ブラケットと、前記シャフトに回動可能に支持され、前記ディスプレイ及び前記台部の他方に取り付けられる第２ブラケットと、前記第２ブラケットに設けられ、前記摺動凹面にその周方向に摺動する円弧状の摺動凸面を有する摺動凸部と、前記第２ブラケットに取り付けられ、前記摺動凸部を押圧して前記摺動凸面と前記摺動凹面との間にフリクションを発生させると共に、前記摺動凸部の押付力を調節し得るフリクション発生手段とを備え、前記フリクションによって前記ディスプレイを前記台部に対して所望の位置に停止保持させるように構成したことを特徴とする。
【０００６】
この発明によれば、シャフトと第１ブラケットと第２ブラケットと摺動凸部とフリクション発生手段とを備えることによって、摺動凸面と摺動凹面との間にフリクションを発生させてディスプレイを台部に対して所望の位置に停止保持させるようにしてので、部品点数が少なくなり、低コスト化を図ることができる。
【０００７】
本発明に係るディスプレイ支持機構において、前記フリクション発生手段は、前記第２ブラケットに螺合して先端部が前記摺動凸部に当接し、この第２ブラケットから摺動凸部に当接するまでの長さが可変されることによって前記摺動凸部の押付力が調節されるネジ部材と、このネジ部材の頭部と前記第２ブラケットとの間に設けられ、前記ネジ部材を先端部から頭部の方向に付勢する付勢部材とで構成されていることを特徴とすることが好ましい。また、本発明に係るディスプレイ支持機構において、前記ネジ部材が複数設けられ、これらネジ部材の先端部と前記摺動凸部との間に一枚のプレートを設け、このプレートを介して前記摺動凸部が押圧されることが好ましい。
【０００８】
また、本発明に係るディスプレイ支持機構において、前記摺動凹面は、摺動凹部に設けられ、この摺動凹部が前記第１ブラケットに取り付けられることが好ましい。本発明に係るディスプレイ支持機構において、前記第１ブラケットは、前記台部に取り付けられると共に内面に前記摺動凹部が取り付けられる基部と、この基部の両側部から突出され、前記シャフトが貫通する貫通孔を有する支持部とから略コ字状に形成され、前記第２ブラケットは、前記ディスプレイに取り付けられる第１取付部と、前記摺動凸部が前記フリクション発生手段を介して取り付けられる第２取付部と、これら第１取付部と第２取付部とを連結すると共に前記シャフトが貫通する貫通孔を有する連結部とから略ロ字状に形成されていることが好ましい。
【発明の効果】
【０００９】
以上説明したように本発明に係るディスプレイ支持機構によれば、シャフトと第１ブラケットと第２ブラケットと摺動凸部とフリクション発生手段とを備えてて、摺動凸面と摺動凹面との間にフリクションを発生させてディスプレイを台部に対して所望の位置に停止保持させるようにしてので、部品点数が少なくなり、低コスト化を図ることができる。
【発明を実施するための最良の形態】
【００１０】
以下、本発明に係るディスプレイ支持機構の一例を添付図面に基づいて詳述する。
【００１１】
図１及び図２は本発明に係るディスプレイ支持機構の一例を示す図である。本発明に係るディスプレイ支持機構は、図１に示すように、ディスプレイ１１を台部１２に対してチルト方向に傾動させるものである。ディスプレイ１１は、モニターや液晶テレビ等で据え置き型のものである。このディスプレイ１１は、台部１２に支持されて、この台部１２を介してテレビ台上等に載置されるものである。本発明に係るディスプレイ支持機構１は、ディスプレイ１１と台部１２とを連結するものである。
【００１２】
本発明に係るディスプレイ支持機構１は、図１及び図２に示すように、シャフト２と、このシャフト２に回動可能に支持されると共に、シャフト２を軸に円弧状に形成された摺動凹面５１を有し、かつ、ディスプレイ１１及び台部１２の一方、例えば、台部１２に取り付けられる第１ブラケットと、シャフト２に回動可能に支持され、ディスプレイ１１及び台部１２の他方、例えば、ディスプレイ１１に取り付けられる第２ブラケットと、第２ブラケットに設けられ、摺動凹面５１にその周方向に摺動する円弧状の摺動凸面６１を有する摺動凸部６と、第２ブラケットに取り付けられ、摺動凸部６を押圧して摺動凸面６１と摺動凹面５１との間にフリクションを発生させると共に、摺動凸部６の押付力を調節し得るフリクション発生手段７とを備え、前記のフリクションによってディスプレイ１１を台部１２に対して所望の位置に停止保持させるように構成したことに特徴がある。
【００１３】
シャフト２は、図１及び図３に示すように、例えば、円形の棒状に形成されている。シャフト２の一端部は、拡径されて頭部２ａとして形成されている。シャフト２の他端部は、縮径されていると共に、外周にその周方向に延びる装着溝（図示せず）が設けられている。この装着溝に、例えば、抜け止めリング等が装着されて、シャフト２の軸周りに第１ブラケット及び第２ブラケットが回動可能に支持されることになる。
【００１４】
第１ブラケットは、台部１２に取り付けられるベースブラケット３である。ベースブラケット３は、図１〜図６に示すように、台部１２に取り付けられると共に内面に摺動凹部５が取り付けられる基部３１と、この基部３１の両側部から突出され、シャフト２が貫通する貫通孔３３を有する支持部３２とから略コ字状に形成されている。基部３１は、台部１２に取り付けられる横長の略矩形状の第１基部３１ａと、この第１基部３１ａの先端部を直角に折り曲げられてなる横長の略矩形状の第２基部３１ｂとから略Ｌ字状に形成されている。第１基部３１ａには、ネジ溝が内面に設けられた摺動凹部取付孔３４が２つ設けられている。第２基部３１ｂには、ネジ溝が内面に設けられた摺動凹部取付孔３４が２つ設けられていると共に、ネジ溝が内面に設けられ、支持部３２を固定するための固定孔３５が設けられている。第１基部３１ａの下面（外面）に台部１２が取り付けられるが、この第１基部３１ａと台部１２との間にはスイベル機構１３が設けられていることが好ましい。スイベル機構１３は、ディスプレイを左右方向に回動させるものであり、公知のものを用いることができる。
【００１５】
支持部３２は、第１基部３１ａの両側部から直角に折り曲げられて略矩形状に形成されている。また、支持部３２の第２基部３１ｂ側の両端部が第２基部３１ｂの側端部を覆うように直角に折り曲げられている。この折曲部３２ａには、例えば、ネジを固定孔３５に螺合して締め付けることにより折曲部３２ａと第２基部３１ｂとが締め付け固定されるようになっている。すなわち、支持部３２を略矩形状に形成する隣接する２辺が第１基部３１ａ及び第２基部３１ｂの両側部に連結されており、支持部３２と基部３１とで略コ字状に形成されている。支持部３２の残りの２辺によって形成される角部近傍には、シャフト２が貫通する貫通孔３３が設けられている。貫通孔３３は、シャフト２の外径より若干大きな寸法の径で形成されていることが好ましい。この支持部３２の間であって第１基部３１ａ及び第２基部３１ｂ上に摺動凹部５が取り付けられている。
【００１６】
摺動凹部５は、例えば、ＰＯＭ（ポリアセタール樹脂）などの合成樹脂等で形成されていることが好ましい。摺動凹部５は、図１〜図５及び図８に示すように、第１基部３１ａ及び第２基部３１ｂ上に嵌合して取り付けられるように略Ｌ字状に形成されている。摺動凹部５の内面は、円弧状の摺動凹面５１として形成されている。摺動凹面５１は、例えば、支持部３２の貫通孔３３に貫通されて装着されたシャフト２を中心に円の１／４の円弧状に形成されている。摺動凹面５１の両側部は、突出して、この両側部間で摺動凸部６がチルト方向、すなわち上下方向に摺動するようになっている。また、摺動凹部５には、例えば、ネジ１７によってベースブラケット３に取り付けるための取付孔５２が摺動凹部取付孔３４に対応する４つの位置、すなわち、４つの角部近傍の位置に設けられている。これら取付孔５２は、ネジ１７の頭部が取付孔５２内に入り込んで摺動凹面５１から突出しないように段状に形成されている。
【００１７】
第２ブラケットは、ディスプレイ１１に取り付けられるスライドブラケット４である。スライドブラケット４は、図１〜図３及び図７に示すように、ディスプレイ１１に取り付けられる第１取付部４１と、摺動凸部６がフリクション発生手段７を介して取り付けられる第２取付部４２と、これら第１取付部４１と第２取付部４２とを連結すると共にシャフト２が貫通する貫通孔４４を有する連結部４３とから略ロ字状に形成されている。スライドブラケット４の幅は、支持部３２間の寸法より若干短い寸法で形成されていることが好ましい。
【００１８】
第１取付部４１は、横長の略矩形状に形成されている。第１取付部４１には、ネジ溝が内面に設けられた５つの取付孔４１ａが設けられている。この第１取付部４１の外面に、第１取付部４１に面接触するように取付板８が取り付けられている。取付板８は、第１取付部４１よりさらに横に長い細長の略矩形状に形成されている。この取付板８の中央部は、第１取付部４１が例えばネジによって取り付けられるように、第１取付部４１の取付孔４１ａに対応する５つのブラケット取付孔８ａがそれぞれ設けられている。また、取付板８の４角近傍には、例えば、ネジによってディスプレイ１１に取り付けるためのディスプレイ取付孔８ｂがそれぞれ設けられている。
【００１９】
第２取付部４２は、摺動凸部６がフリクション発生手段７を介して取り付けられるものであり、横長の略矩形状に形成されている。第２取付部４２は、例えば、第１取付部４１の下端部を直角に折り曲げてからさらに鈍角に折り曲げた細長矩形状の第２ａ取付部４２ａと、第１取付部４１の両側部をそれぞれ直角に折り曲げてからさらに直角に折り曲げて第２ａ取付部４２ａの両側部の内面に当接させた第２ｂ取付部４２ｂとからなる。これら第２ａ取付部４２ａと第２ｂ取付部４２ｂとが重なり合わされた箇所には、これら第２ａ取付部４２ａと第２ｂ取付部４２ｂとを例えばネジによって固定するための固定孔４２ｃがそれぞれ設けられていると共に、フリクション発生手段７を取り付けるためのフリクション取付孔４２ｄが設けられている。フリクション取付孔４２ｄの内面には、ネジ溝が設けられている。また、第２ａ取付部４２ａには、長手方向に延びると共に貫通する細長矩形状の嵌合部４５が設けられている。
【００２０】
連結部４３は、第１取付部４１と第２ｂ取付部４２ｂとの間の部分である。連結部４３には、シャフト２が貫通する貫通孔４４が設けられている。貫通孔４４は、シャフト２の外径より若干大きな寸法の径で形成されていることが好ましい。このスライドブラケット４の連結部４３がベースブラケット３の支持部３２間に、互いの貫通孔３３、４４が孔合わされてからこれら貫通孔３３、４４にシャフト２を通してシャフト２の装着溝に、例えば、抜け止めリングを装着することによって、シャフト２の軸周りにベースブラケット３及びスライドブラケット４が回動可能に支持されるようになっている。
【００２１】
摺動凸部６は、例えば、ＰＯＭ（ポリアセタール樹脂）などの合成樹脂等で形成されていることが好ましく、スライドブラケット４に設けられている。摺動凸部６は、図１〜図４及び図９に示すように、例えば、摺動凹面５１の径と略同じ径の円弧状に湾曲して形成されている。この外面が摺動凹面５１に面接触すると共にその周方向に摺動する摺動凸面６１として形成されている。この摺動凸面６１の周方向の長さは、例えば、摺動凹面５１の周方向の長さの略半分の寸法で形成されていることが好ましい。摺動凸面６１（摺動凸部６）の幅（左右方向）の長さは、摺動凹面５１の突出する両側部間の長さより若干小さな寸法で形成されていることが好ましい。これにより、摺動凸部６が摺動凹部５に嵌合されると共に摺動凸面６１と摺動凹面５１とが面接触したときにチルト方向にのみ摺動凸部６が摺動凹部５に対して移動するようになっている。
【００２２】
この摺動凸面６１の両側部近傍であって摺動凹部５の取付孔５２に対応する位置には、その周方向に延びる摺動溝６２がそれぞれ設けられている。これら摺動溝６２は、摺動凸面６１と摺動凹面５１との間に例えばグリースを介在させることによってフリクションを発生させる際のグリースの供給溝として機能すると共に、取付孔５２からネジが突出しても摺動凸面６１と摺動凹面５１とが良好に摺動するようにするためのものである。摺動凸部６の内面には、第２ａ取付部４２ａの嵌合部４５に嵌合する嵌合凸部６３が設けられている。これにより、摺動凸部６は、直交する方向に移動可能に第２ａ取付部４２ａに取り付けられるようになっている。また、摺動凸部６の内面であって嵌合凸部６３の外周は、細長のコ字状のプレート９が取り付けられるプレート取付部として形成されている。プレート９は、摺動凸面６１全体を摺動凹面５１に押しつけるためのものであり、特に限定されず、例えば、板金等であることが好ましい。
【００２３】
フリクション発生手段７は、摺動凸部６を押圧して摺動凸面６１と摺動凹面５１との間にフリクションを発生させると共に、摺動凸部６の押付力を調節し得るものであれば特に限定されるものではない。フリクション発生手段７としては、図１及び図１０に示すように、例えば、スライドブラケット４に螺合して先端部が摺動凸部６に当接し、このスライドブラケット４から摺動凸部６に当接するまでの長さが可変されることによって摺動凸部６の押付力が調節されるネジ部材７１と、このネジ部材７１の頭部７１ａとスライドブラケット４との間に設けられ、ネジ部材７１を先端部から頭部７１ａの方向に付勢する付勢部材７２とで構成されていることが好ましい。
【００２４】
ネジ部材７１は、スライドブラケット４の第２ａ取付部４２ａのフリクション取付孔４２ｄにそれぞれ螺合されるものである。ネジ部材７１の頭部７１ａは、ネジ部より径が大きな寸法で形成されていることが好ましい。ネジ部材７１の先端部がそれぞれ摺動凸部６の内面に取り付けられたプレート９の両側部近傍に当接してプレート９を介して摺動凸部６を押圧し、摺動凸面６１と摺動凹面５１との間にフリクションが発生するようになっている。また、ネジ部材７１をフリクション取付孔４２ｄに対して回転させることによってスライドブラケット４から摺動凸部６に当接するまでのネジ部材７１の長さが変わって摺動凸部６の押付力が調節されるようになっている。
【００２５】
付勢部材７２は、ネジ部材７１の頭部７１ａとスライドブラケット４との間に設けられ、ネジ部材７１を先端部から頭部７１ａの方向に付勢するものであり、特に限定されず、例えば、コンプレッションスプリング等が使用される。この付勢部材７２は、ネジ部材７１のゆるみ止めの作用を奏するもので、付勢部材７２をネジ部材７１の頭部７１ａとスライドブラケット４との間に設けることにより、スライドブラケット４から摺動凸部６に当接するまでの長さを略一定に保持することができる。これにより、摺動凸面６１と摺動凹面５１との間に発生させたフリクションによってディスプレイ１１を台部１２に対して所望の位置に停止保持させることができるようになっている。
【００２６】
次に本発明に係るディスプレイ支持機構の作用を説明する。
【００２７】
ベースブラケット３の第１基部３１ａの下面に台部１２が例えばスイベル機構１３を介して取り付けられていると共に、スライドブラケット４の第１取付部４１が取付板８を介してディスプレイ１１の背面下方に取り付けられている。ベースブラケット３とスライドブラケット４とは、シャフト２に回動可能に支持されている。このスライドブラケット４に設けられた摺動凸部６がベースブラケット３に取り付けられた摺動凹部５に嵌合すると共に、摺動凸面６１と摺動凹面５１とが面接触し、この摺動凸部６がフリクション発生手段７のネジ部材７１によって摺動凹部５に押し付けられる。これにより、摺動凸面６１と摺動凹面５１との間にフリクションが発生し、ディスプレイ１１が台部１２に対して停止保持される。
【００２８】
このディスプレイ１１のチルト方向の角度を変えたいときには、摺動凸面６１が摺動凹面５１に対してその周方向に摺動するようにディスプレイ１１を台部１２に対して移動させる。すなわち、摺動凸面６１と摺動凹面５１との間に発生しているフリクションより大きな力をディスプレイ１１に作用させる。これにより、摺動凸面６１が摺動凹面５１に対して摺動、すなわち、ベースブラケット３がシャフト２を軸に回転して、ディスプレイ１１の角度が変わる。ディスプレイ１１の角度が所望の角度になったら、その移動を停止すると、摺動凸面６１と摺動凹面５１との間に発生しているフリクションによりディスプレイ１１がその位置に停止保持される。
【００２９】
摺動凸面６１と摺動凹面５１との間に発生しているフリクションを調節したいときには、フリクション発生手段７のネジ部材７１をスライドブラケット４のフリクション取付孔４２ｄに対して回転させると、スライドブラケット４から摺動凸部６のプレート９に当接するまでのネジ部材７１の長さが変わって摺動凸部６の摺動凹部５への押付力が変わる。これにより、ネジ部材７１を回転させることによって摺動凸面６１と摺動凹面５１との間に発生しているフリクションを調節することができる。
【００３０】
したがって、本発明に係るディスプレイ支持機構１は、シャフト２とベースブラケット３とスライドブラケット４と摺動凹部５と摺動凸部６とフリクション発生手段７とを備えたことから、摺動凸面６１と摺動凹面５１との間に発生したフリクションによりディスプレイ１１を台部１２に対して所望の位置に停止保持させるので、従来の一対のフリクションヒンジを備える場合に比して部品点数が少なくなり、低コスト化及び省スペース化を図ることができる。
【００３１】
また、摺動凸部６の内面に板金等のプレート９を取り付け、このプレート９を介して摺動凸面６１全体を摺動凹面５１に押しつけるために、摺動凸面６１と摺動凹面５１との間の接触面全体にフリクションを発生させることができるので、ディスプレイ１１を台部１２に対して所望の位置に確実に停止保持させることができる。
【００３２】
また、本発明に係るディスプレイ支持機構１において、図１１に示すように、回動規制手段１０を設けて、スライドブラケット４に対するベースブラケット３の回動範囲、すなわち、台部１２に対するディスプレイ１１の回動範囲を規制するようにしてもよい。
【００３３】
回動規制手段１０としては、特に限定されず、例えば、ベースブラケット３の支持部３２の取付板８と対向する辺に、図１１及び図１２に示すように、ディスプレイ１１を手前側に倒すときに取付板８に当接してその移動を規制する第１規制部３７を設けると共に、ディスプレイ１１を後方側に倒すときに取付板８に当接してその移動を規制する第２規制部３８を設けるようにしてもよい。また、回動規制手段１０としては、例えば、図１１及び図１３に示すように、ディスプレイ１１を手前側に倒したとき、ベースブラケット３の下部に当接するように、取付板８の下部８ｃを折り曲げるようにしてもよい。これらのようにベースブラケット３に第１規制部３７及び第２規制部３８を設けること、及び取付板８の下部８ｃを折り曲げることは、両方行うようにしてもよいし、どちらか一方を行うようにしてもよい。
【００３４】
このように、回動規制手段１０を設けることにより、ディスプレイ１１のチルト方向の回動角度（チルト回動角度）を、例えば、−３°〜８°の範囲で回動範囲を規制することができると共に、この回動範囲の任意の角度に調節できるようになっている。なお、このチルト回動角度とは、ベースブラケット３の第１基部３１ａに対する取付板８の角度が９０°のときに０°としたものであり（図１１（ａ）参照。）、−のときはディスプレイ１１が前方側に倒れていることを示し（図１１（ｂ）参照。）、逆に＋のときにはディスプレイ１１が後方側に倒れていることを示す（図１１（ｃ）参照。）。
【産業上の利用可能性】
【００３５】
以上説明したように本発明に係るディスプレイ支持機構は、シャフトと第１ブラケットと第２ブラケットと摺動凸部とフリクション発生手段とを備えることによって、摺動凸面と摺動凹面との間にフリクションを発生させてディスプレイを台部に対して所望の位置に停止保持させるようにしてので、部品点数が少なくなり、低コスト化を図ることができるから、特にモニターや液晶テレビ等の据え置き型のディスプレイを保持させるものとして好適なものである。
【図面の簡単な説明】
【００３６】
【図１】本発明に係るディスプレイ支持機構の一例を示す断面図である。
【図２】本発明に係るディスプレイ支持機構の一例を示す斜視図である。
【図３】本発明に係る第１ブラケット、第２ブラケット、摺動凹部及び摺動凸部の関係を示す斜視図である。
【図４】本発明に係る第１ブラケット、摺動凹部及び摺動凸部の関係を示す斜視図である。
【図５】本発明に係る第１ブラケットに摺動凹部を取り付けた状態を示す斜視図である。
【図６】本発明に係る第１ブラケットの一例を示す図で、（ａ）は背面図、（ｂ）は平面図、（ｃ）は側面図、（ｄ）は正面図である。
【図７】本発明に係る第２ブラケットの一例を示す図で、（ａ）は斜視図、（ｂ）は側面図、（ｃ）は正面図である。
【図８】本発明に係る摺動凹部の一例を示す斜視図である。
【図９】本発明に係る摺動凸部の一例を示す図で、（ａ）は斜視図、（ｂ）は側面図、（ｃ）は裏面図である。
【図１０】本発明に係るフリクション発生手段の一例を示す断面図である。
【図１１】本発明に係る回動規制手段の一例を示す側面図で、（ａ）はチルト回動角度が０°の状態を示す図、（ｂ）はディスプレイの前方側への回転を規制している状態を示す図、（ｃ）はディスプレイの後方側への回転を規制している状態を示す図である。
【図１２】本発明に係る回動規制手段における第１ブラケットの一例を示す図で、（ａ）は平面図、（ｂ）は側面図である。
【図１３】本発明に係る回動規制手段における取付板の一例を示す図で、（ａ）は平面図、（ｂ）は側面図、（ｃ）は裏面図である。
【符号の説明】
【００３７】
１  ディスプレイ支持機構
２  シャフト
３  ベースブラケット（第１ブラケット）
４  スライドブラケット（第２ブラケット）
５  摺動凹部
６  摺動凸部
７  フリクション発生手段
８  取付板
９  プレート
１０  回動規制手段
１１  ディスプレイ
１２  台部
５１  摺動凹面
６１  摺動凸面
７１  ネジ部材
７２  付勢部材
【図１】
2007279302.tif 000003
【図２】
2007279302.tif 000004
【図３】
2007279302.tif 000005
【図４】
2007279302.tif 000006
【図５】
2007279302.tif 000007
【図６】
2007279302.tif 000008
【図７】
2007279302.tif 000009
【図８】
2007279302.tif 000010
【図９】
2007279302.tif 000011
【図１０】
2007279302.tif 000012
【図１１】
2007279302.tif 000013
【図１２】
2007279302.tif 000014
【図１３】
2007279302.tif 000015